(57)【要約】【課題】  本発明は、縁取りがされた多色の筆記線等を連続的に描くことが可能なマーキングペンを提供することを目的とする。【解決手段】  少なくとも軸筒本体の先端から一部突出して設けられたペン先を有する、内側芯と外側芯からなるインキ誘導芯と、インキ貯蔵部がペン先側領域に位置する第１インキ貯蔵部と、他端側領域に位置する第２インキ貯蔵部とに２段に分離して設けられた軸筒本体を有するマーキングペンであって、（ｉ）第１インキ貯蔵部には第２インキ貯蔵部に貯蔵されているインキと異なる色のインキが貯蔵されており、（ii）該インキ誘導芯は、そのペン先先端形状がチゼル型で、ペン先先端部近傍から第１インキ貯蔵部を貫通する部分が内側芯と外側芯に仕切られた二重構造であって、更にその内側芯のみが第２インキ貯蔵部に延長して挿入されており、（iii）外側芯は第１インキ貯蔵部からインキが供給され、内側芯は第２インキ貯蔵部からインキが供給される、ことを特徴とするマーキングペン。【選択図】  図１
2005297450.tif 000002
【特許請求の範囲】
【請求項１】
少なくとも軸筒本体の先端から一部突出して設けられたペン先を有する、内側芯と外側芯からなるインキ誘導芯と、インキ貯蔵部がペン先側領域に位置する第１インキ貯蔵部と他端側領域に位置する第２インキ貯蔵部とに２段に分離して設けられた軸筒本体を有するマーキングペンであって、
（ｉ）第１インキ貯蔵部には第２インキ貯蔵部に貯蔵されているインキと異なる色のインキが貯蔵されており、（ii）該インキ誘導芯は、そのペン先先端形状がチゼル型で、ペン先先端部近傍から第１インキ貯蔵部を貫通する部分が内側芯と外側芯に仕切られた二重構造であって、更にその内側芯のみが第２インキ貯蔵部に延長して挿入されており、
（iii）外側芯は第１インキ貯蔵部からインキが供給され、内側芯は第２インキ貯蔵部からインキが供給される
ことを特徴とするマーキングペン。
【請求項２】
前記インキ誘導芯の二重構造部分の内側芯と外側芯とが合成樹脂製フィルムにより仕切られていることを特徴とする請求項１に記載のマーキングペン。
【請求項３】
前記合成樹脂製フィルムがポリアセタール樹脂、アクリル樹脂、ポリエチレンテレフタレート樹脂、及びポリプロピレン樹脂から選ばれた樹脂フィルムである請求項２に記載のマーキングペン。
【請求項４】
前記インキ誘導芯が多数の繊維状物を収束して自己融着もしくは接着剤により部分的に接着して一体化し、その網目状空隙をインキ流路として形成する繊維体である請求項１ないし３のいずれかに記載のマーキングペン。
【請求項５】
前記チゼル型ペン先の先端面の幅が２〜８ｍｍである請求項１ないし４のいずれかに記載のマーキングペン。
【請求項６】
チゼル型ペン先の先端面が内側芯の両端部に外側芯が配置されている構造である請求項１ないし５のいずれかに記載のマーキングペン。
【請求項７】
チゼル型ペン先の先端面が内側芯の一端に外側芯が配置されている構造である請求項１ないし５のいずれかに記載のマーキングペン。
【請求項８】
前記インキ誘導芯の内側芯が円柱形状である請求項１ないし７のいずれかに記載のマーキングペン。
【請求項９】
第１インキ貯蔵部及び／又は第２インキ貯蔵部がインキ吸蔵体によりインキを貯蔵する方式であること特徴とする請求項１ないし８のいずれかに記載のマーキングペン。
【請求項１０】
第１インキ貯蔵部と第２インキ貯蔵部とが隔壁により分離されている構造であること特徴とする請求項１ないし９のいずれかに記載のマーキングペン。
【請求項１１】
軸筒が少なくともインキ誘導芯の保持部と第１インキ貯蔵部を有する第１バレル、第２インキ貯蔵部を有する第２バレル、及び前記隔壁を形成する中間リングから構成されること特徴とする請求項１０に記載のマーキングペン。
【請求項１２】
第１バレルと第２バレルとがはめ込み構造又はネジ構造により一体構造とされることを特徴とする請求項１１に記載のマーキングペン。
【請求項１３】
軸筒が少なくともインキ誘導芯の保持部、第１インキ貯蔵部及び第２インキ貯蔵部を有する軸筒本体、前記隔壁を形成構成する中間リング、並びに尾栓から構成されること特徴とする請求項１０に記載のマーキングペン。
【請求項１４】
第１インキ貯蔵部及び第２インキ貯蔵部の貯蔵インキが水溶性インキであること特徴とする請求項１ないし１３のいずれかに記載のマーキングペン。
【請求項１５】
第１インキ貯蔵部と第２インキ貯蔵部の貯蔵インキの一方が水溶性インキであり、他方が油溶性インキであること特徴とする請求項１ないし１３のいずれかに記載のマーキングペン。
【請求項１６】
一回の線引きによりインキ誘導芯の内側芯による色彩を外側芯による色彩で帯状に縁取りされた筆跡を描くことが可能な請求項６に記載のマーキングペン。
【請求項１７】
一回の線引きによりインキ誘導芯の内側芯による色彩と外側芯による色彩で帯状に２色の筆跡を描くことが可能な請求項７に記載のマーキングペン。
【発明の詳細な説明】
【技術分野】
【０００１】
本発明は、筆記具用多色マーキングペンに関する。更に詳しくは、２つの異なる色のインキを２つのインキ貯蔵部にそれぞれ貯蔵して、一回の線引きにより一方の色を他方の色で帯状に縁取りされた筆跡等を連続的に描くことができるマーキングペンに関する。
【背景技術】
【０００２】
従来、筆記具用インキは、安定な単一色相を呈することが必要とされ、筆記具インキに使用される着色剤は、単独あるいは数種の顔料や染料を混合して調色されてきた。
一方、マーキングペンで色の異なる描線を引くために複数のペン先を備えたものも存在する。
例えば、互いに異色のインキを浸透する一対以上のインキ浸透部よりなる浸透部材を軸筒に内装し、該浸透部材の前記インキ浸透部に嵌入したそれぞれのチップの先端を導出して軸筒の先端に並設してなるマーキングペンが開示されている（特許文献１参照）。
縦方向に毛細管現象によりインキを流通させる微小スリットを貫通させた複数個の熱可塑性樹脂の押出成型によって得たペン先単体を、その先端部において相互に密着させて一体化しペン先とし、それぞれのペン先単体の末端部を該単体と同数のインキ吸蔵体を区画壁を介在させて一体化したインキ筒の先端部に接触させることを特徴する多色サインペンが開示されている（特許文献２参照）。
【０００３】
また、幅広描線用ペン先部と、幅狭描線用ペン先部とを一直線上の近接した位置に並設し、且つ各ペン先部の先端位置を面一となし、幅広描線用ペン先部と幅狭描線用ペン先部に夫々色の異なるインキを供給せしめることを特徴とするマーキングペン開示されている（特許文献３参照）。
【０００４】
【特許文献１】実開昭５５−２９２３７号公報
【特許文献２】実開昭５６−５０６８７号公報
【特許文献３】特開平１−２５８９９９号公報
【発明の開示】
【発明が解決しようとする課題】
【０００５】
しかし、上記いずれの先行技術も、ペン先の先端でペン先先端構造が複雑で、製造工程も多く、更に筆記する際のペン先の角度により単色となったり、複数の帯状の色の描線となったり、その筆記線が一定しづらいという不都合があった。
本発明は上記課題を解決して、１回の線引きにより縁取りがされた多色の筆記線等を容易に描くことが可能なマーキングペンを提供することを目的とする。
【課題を解決するための手段】
【０００６】
本発明者らは上記課題を解決するために鋭意検討した結果、軸筒本体内にインキ貯蔵部を２段に分離して設け、インキ誘導芯のペン先先端部近傍からペン先側のインキ貯蔵部を貫通する部分を内側芯と外側芯に仕切られた二重構造とし、更にその内側芯のみを他方のインキ貯蔵部に延長して挿入させて、外側芯はペン先側のインキ貯蔵部からインキを供給し、内側芯は他方のインキ貯蔵部からインキを供給するマーキングペンとすることにより、１回の線引きにより安定的に縁取りがされた多色の筆記線等を描くことが可能なことを見出し、本発明を完成させた。
【０００７】
すなわち、本発明は、少なくとも軸筒本体の先端から一部突出して設けられたペン先を有する、内側芯と外側芯からなるインキ誘導芯と、インキ貯蔵部がペン先側領域に位置する第１インキ貯蔵部と他端側領域に位置する第２インキ貯蔵部とに２段に分離して設けられた軸筒本体を有するマーキングペンであって、
（ｉ）第１インキ貯蔵部には第２インキ貯蔵部に貯蔵されているインキと異なる色のインキが貯蔵されており、（ii）該インキ誘導芯は、そのペン先先端形状がチゼル型で、ペン先先端部近傍から第１インキ貯蔵部を貫通する部分が内側芯と外側芯に仕切られた二重構造であって、更にその内側芯のみが第２インキ貯蔵部に延長して挿入されており、
（iii）外側芯は第１インキ貯蔵部からインキが供給され、内側芯は第２インキ貯蔵部からインキが供給される
ことを特徴とするマーキングペンに関する発明である。
【０００８】
本発明においては、更に下記の態様とすることが好ましい。
（１）前記インキ誘導芯の二重構造部分の内側芯と外側芯とが合成樹脂製フィルムにより仕切られていること、
（２）前記合成樹脂製フィルムがポリアセタール樹脂、アクリル樹脂、ポリエチレンテレフタレート樹脂、及びポリプロピレン樹脂から選ばれた樹脂フィルムであること、
（３）前記インキ誘導芯が多数の繊維状物を収束して自己融着もしくは接着剤により部分的に接着して一体化し、その網目状空隙をインキ流路として形成する繊維体であること、
（４）前記チゼル型ペン先の先端面の幅が２〜８ｍｍであること、
（５）チゼル型ペン先の先端面が内側芯の両端部に外側芯が配置されている構造であること、
（６）チゼル型ペン先の先端面が内側芯の一端に外側芯が配置されている構造であること、
（７）前記インキ誘導芯の内側芯が円柱形状であること、
（８）第１インキ貯蔵部及び／又は第２インキ貯蔵部がインキ吸蔵体によりインキを貯蔵する方式であること、
（９）第１インキ貯蔵部と第２インキ貯蔵部とが隔壁により分離されている構造であること、
（１０）軸筒が少なくともインキ誘導芯の保持部と第１インキ貯蔵部を有する第１バレル、第２インキ貯蔵部を有する第２バレル、及び前記隔壁を形成する中間リングから構成されること、
（１１）前記（１０）において第１バレルと第２バレルとがはめ込み構造又はネジ構造により一体構造とされること、
（１２）軸筒が少なくともインキ誘導芯の保持部、第１インキ貯蔵部及び第２インキ貯蔵部を有する軸筒本体、前記隔壁を形成構成する中間リング、並びに尾栓から構成されること、
（１３）第１インキ貯蔵部及び第２インキ貯蔵部の貯蔵インキが水溶性インキであること、
（１４）第１インキ貯蔵部と第２インキ貯蔵部の貯蔵インキの一方が水溶性インキであり、他方が油溶性インキであること、
（１５）前記（５）において、一回の線引きによりインキ誘導芯の内側芯による色彩を外側芯による色彩で帯状に縁取りされた筆跡を描くことが可能なマーキングペンであること、
（１６）前記（６）において、一回の線引きによりインキ誘導芯の内側芯による色彩と外側芯による色彩で帯状に２色の筆跡を描くことが可能なマーキングペンであること
【発明の効果】
【０００９】
本発明のマーキングは、構造が比較的簡単であり、２色のインキを使用して、１回の線引きにより一色の中央線を他色で安定的に縁取りされた帯状の筆跡等を連続的に容易に描くことが可能である。
【発明を実施するための最良の形態】
【００１０】
本発明のマーキングペンは、少なくとも軸筒本体の先端から一部突出して設けられたペン先を有する、内側芯と外側芯からなるインキ誘導芯と、インキ貯蔵部がペン先側領域に位置する第１インキ貯蔵部と他端側領域に位置する第２インキ貯蔵部とに２段に分離して設けられた軸筒本体を有するマーキングペンであって、
（ｉ）第１インキ貯蔵部には第２インキ貯蔵部に貯蔵されているインキと異なる色のインキが貯蔵されており、（ii）該インキ誘導芯は、そのペン先先端形状がチゼル型で、ペン先先端部近傍から第１インキ貯蔵部を貫通する部分が内側芯と外側芯に仕切られた二重構造であって、更にその内側芯のみが第２インキ貯蔵部に延長して挿入されており、
（iii）外側芯は第１インキ貯蔵部からインキが供給され、内側芯は第２インキ貯蔵部からインキが供給される、ことを特徴とする。
以下に本発明を実施するための好ましい態様を図１と図４に例示して説明する。
【００１１】
図１に示すマーキングペンは、第１バレル３と第２バレル４からなる軸筒本体、インキ誘導芯２、及び隔壁を形成する中間リング５を有している。第１バレル３にはインキ誘導芯保持部１２と第１インキ貯蔵部１０が設けられている。また、第２バレル４には第２インキ貯蔵部１１が設けられている。
インキの貯蔵部は、第１バレル内の第１インキ貯蔵部１０と第２バレル内の第２インキ貯蔵部１１の２段に分離して設けられ、それぞれ異なる色のインキが貯蔵されている。第１バレル内の第１インキ貯蔵部１０と第２バレル内の第２インキ貯蔵部１１は、隔壁を形成する中間リング５により直接接触しないようにされている。インキ誘導芯２は、ペン先先端部近傍から第１インキ貯蔵部１０を貫通する部分が内側芯８と外側芯７とに仕切り９で仕切られた二重構造で、更にその内側芯８のみが第２インキ貯蔵部に延長して挿入されている。かかる構造とすることにより、内側芯８には第２インキ貯蔵部１１からインキが供給され、外側芯７には第１インキ貯蔵部１０からインキが供給される。
このような構造のマーキングペンは、第２インキ貯蔵部のインキの筆跡を中心線として第１インキ貯蔵部のインキで縁取りされた多色の筆記線等を連続的に描くことが可能になる。
【００１２】
図４に示すマーキングペンは、インキ誘導芯保持部１２、第１インキ貯蔵部１０、及び第２インキ貯蔵部１１が設けられた軸筒本体１８、インキ誘導芯２、隔壁を形成する中間リング５、並びに尾栓６を有している。
インキの貯蔵部は、図１におけると同様に軸筒本体１８内の第１インキ貯蔵部１０と第２バレル内の第２インキ貯蔵部１１の２段に分離して設けられ、それぞれ異なる色のインキが貯蔵され、第１インキ貯蔵部１０と第２インキ貯蔵部１１は、中間リング５により直接接触しないようにされている。インキ誘導芯２は、図１と同様に一部が二重構造になっている。かかる構造とすることにより、図１における場合と同様に内側芯８には第２インキ貯蔵部１１からインキが供給され、外側芯７には第１インキ貯蔵部１０からインキが供給される。このような構造のマーキングペンは、第２インキ貯蔵部のインキを中心線として第１インキ貯蔵部のインキで縁取りされた多色の筆記線等を連続的に描くことが可能になる。
以下に本発明のマーキングペンの各構成部について説明する。
【００１３】
（１）インキ誘導芯
本発明のインキ誘導芯は、軸筒本体の先端から一部突出して設けられたペン先を有していて、かつその一部が内側芯と外側芯に仕切られた二重構造を有している。
インキ誘導芯のペン先先端形状はチゼル型であり、ペン先先端部近傍から第１インキ貯蔵部を貫通する部分が内側芯と外側芯とに仕切られた二重構造であり、該二重構造部分においては、内側芯のインキと外側芯のインキがそれぞれ仕切りを通過できない構造となっている。また、更にその内側芯のみが第２インキ貯蔵部に延長して挿入されている。
従って、その外側芯は第１インキ貯蔵部からインキを供給され、内側芯は第２インキ貯蔵部からインキを供給されることになる。
インキ誘導芯の先端部を除く外観形状は、円柱状でも多角柱状でも特に制限はないが、その内側芯の作成、及び内側芯と外側芯との仕切りの加工等を考慮すると、内側芯は円柱形状が望ましい。
【００１４】
インキ誘導芯は、そのペン先先端形状がチゼル型である。該チゼル型とは一般的に溝を掘る工具であるのみの先端形状をいうが、本発明におけるチゼル型は、インキ誘導芯先端部の相対する面が両面側から先端に向かってテーパー状に先細りになっている形状とするのが好ましい。
チゼル型ペン先の先端面（筆記する面）は、長手方向に内側芯の両端部に外側芯が配置されている構造とすることが望ましい。かかる構造とすることにより、一回の線引きによりインキ誘導芯の内側芯による色彩を外側芯による色彩で帯状に縁取りされた筆跡を描くことが可能となる。また、前記内側芯の両端部に外側芯が配置されている構造における一端部の外側芯を欠落させた構造である、チゼル型ペン先の先端面が内側芯の一端に外側芯が配置されている構造とすることも可能である。かかる構造とすることにより、１回の線引きによりインキ誘導芯の内側芯による色彩と外側芯による色彩で帯状に２色の筆跡を描くことが可能となる。
【００１５】
ペン先先端の長手方向の幅は特に制限はないが、２〜８ｍｍ程度が好ましい。
ペン先先端は、図１のペン先に示されているようにその先端側を斜めに研削して、先端傾斜面とすることができる。例えば、先端傾斜面は先端側を軸径方向に対する傾斜角度を好ましくは０〜４０度、特に好ましくは３０〜３５度とすることができる。また、ペン先先端は図４に示すペン先先端のように、外側を面取りすることもできる。この面取りされる外側芯の先端面の幅は、特に制限はないが０．２以上２ｍｍ未満とすることができる。
内側芯と外側芯から形成される二重構造部分における仕切りは、内側芯のインキが外側芯側へ、また外側芯側のインキが内側芯側へ通過しない構造であれば特に限定されるものではないが、使用するインキが水溶性インキまたは油溶性インキの場合、これらのインキに使用する溶剤に対し、耐溶剤性を有するものであることが好ましい。
仕切りとして、例えば内側芯と外側芯とを合成樹脂製のフィルムを使用することが可能であり、かかる合成樹脂製フィルムとしては、加工性等を考慮するとポリアセタール樹脂、アクリル樹脂、ポリエチレンテレフタレート樹脂、ポリプロピレン樹脂から選ばれる樹脂フィルムを例示することができる。
【００１６】
該仕切りに使用するフィルムの厚みは、０．０５〜０．３０ｍｍが好ましく、０．０５〜０．１５ｍｍが特に好ましい。また、内側芯を囲む形状の外側芯の厚みは、特に制限はなく、目的とする縁取り筆跡により任意に選択することが可能であるがペン先先端において０．２〜２ｍｍ程度とすることが好ましい。外側芯の厚みがこの範囲を超える場合には、ペン先をテーパー状に削り、前記厚みにすることもできる。
尚、水溶性インキと油溶性インキのそれぞれに個々に耐溶剤性を有するポリエステル系繊維、ポリアミド系繊維等からなるインキ誘導芯であっても、水溶性インキと油溶性インキの混合液に浸漬すると耐溶剤性が著しく低下する場合があるので、上記仕切りを設けることにより、このような不都合を回避することができる。
インキ誘導芯は、内側芯及び外側芯共に多数の繊維状物を収束して自己融着もしくは接着剤により部分的に接着して一体化し、その網目状空隙をインキ流路として形成する繊維体であることが望ましく、公知のインキ誘導芯も使用できる。例えば、特公昭５３−１６７３６号公報に開示されている繊維束ペン先の製造方法により作製することができる。前記繊維状物としては、ポリエステル系繊維、又はポリアミド系繊維の使用が好ましい。
【００１７】
（２）軸筒本体
軸筒本体は、図１に示すように第１バレル３と第２バレル４とに分離した構造とすることが可能であり、また図４に示すように一体構造１８とすることも可能である。
軸筒本体の主な機能は、インキ誘導芯の保持と、インキの貯蔵である。
軸筒本体内には、異なる色のインキが第１インキ貯蔵部１０と第２インキ貯蔵部１１に互いに接触しないように、二段に分けてそれぞれ貯蔵されている。尚、第１インキ貯蔵部１０と第２インキ貯蔵部１１との直接の接触を避けるために、これらの間に隔壁を設けるのが望ましい。このような隔壁は軸筒本体形状の一部として設けることもできるが、また図１又は図４に示すように、軸筒本体とは独立した構造である中間リングとすることも可能である。
軸筒本体を一体構造１８とするか、２つのバレル３、４からなる分離した構造とするかにより、インキ貯蔵体等の挿入方法が異なってくる。
図１に示すように軸筒本体が２つのバレル３、４からなる構造の場合には、例えば、これらのバレルを分離した状態で第１バレル３にインキ誘導芯２と第１インキ貯蔵部１０を挿入し、第２バレル４に第２インキ貯蔵部１１と中間リング５を挿入した後に、第１バレル３に第２バレル４をはめ込む。尚、インキ誘導芯２は、第１バレル３に第２バレル４をはめ込む前後でも挿入することは可能である。
また、図４に示す軸筒本体が一体型１８の場合には、尾栓側の開口部から第１インキ貯蔵部１０、中間リング５、第２インキ貯蔵部１１の順に軸筒本体に挿入すればよい。尚、インキ誘導芯のはめ込みは第１インキ貯蔵部１０の挿入前でもよく、第２インキ貯蔵部１１を挿入した後でも可能である。
【００１８】
インキ誘導芯の内側芯８は第２インキ貯蔵部１１内に少なくとも３ｍｍ以上、好ましくは５ｍｍ以上挿入するのが望ましい。
軸筒本体に設けられたインキ誘導芯保持部１２におけるインキ誘導芯の位置決めは、図４に示すようにインキ誘導芯保持部１２に段差構造を設けることができ、図１においてはインキ誘導芯保持部１２又は中間リング５にテーパー形状部分を設けてインキ誘導芯を保持することができる。
尚、中間リング５の位置決めをするために、図１におけるように第２バレル４に溝を設けたり、図４に示すように軸筒本体の第１インキ貯蔵部１０側に段差を設ける構造とすることができる。第１バレル３と第２バレル４との接続は、特に制限はないがはめ込み構造又はネジ構造により一体化される構成とすることができる。
本発明で使用する軸筒本体の外観形状は、特に制限を受けるものではなく公知のマーキングペンの外観形状でもよく、またその材料も特に制限を受けるものではなく公知のものを使用することができる。
【００１９】
（２−１）中間リング
本発明の軸筒本体内には、第１インキ貯蔵部と第２インキ貯蔵部との接触を避けるために、図１又は図４に示すような中間リング５を設けることができる。
図１に示す中間リング５の具体例を図２と図３に示す。中間リング５には第１インキ貯蔵部１０と第２インキ貯蔵部１１に向けて突起１５を設けて、これらのインキの接触を防止することができる。また、中間リング５には通気孔１６を設けて第１バレル３内と第２バレル４内の圧力を均一に保つことが望ましい。図４に示す中間リング５の場合には例えば、図１と同様の突起を設けて、インキ誘導芯の内側芯が貫通する部分の孔径を大きくして、通気孔とすることができる。
（２−２）尾栓
図４に示す態様のように軸筒本体が一体構造１８の場合には、第１インキ貯蔵部１０、第２インキ貯蔵部１１、及び中間リング５を挿入するために、ペン先側と相対する端部に開口部を設ける必要がある。該開口部は、前記第１インキ貯蔵部１０等を挿入後尾栓６がはめ込まれる。
（２−３）キャップ
マーキングペンは、不使用時にインキ誘導芯からインキの溶剤等が蒸発するのを防止するためにキャップ１４をはめ込んでおくことが望ましい。該キャップの形状は特に制限はなく、公知のものも使用可能である。図１と図４にキャップの具体例を示す。
【００２０】
（３）インキ貯蔵部
本発明において、インキ貯蔵部は、第１インキ貯蔵部と、第２インキ貯蔵部の２段に分離して設けられる。インキ貯蔵部におけるインキ貯蔵は、第１インキ貯蔵部と第２インキ貯蔵部においてインキ吸蔵体方式が好ましい。
インキ吸蔵体方式を用いる場合には、軸筒本体に第１インキ貯蔵部と及び第２インキ貯蔵部を挿入する前にインキを吸蔵させるか、又はこれらのインキ貯蔵部を軸筒本体に挿入後にインキを吸蔵させてもよい。インキ吸蔵体方式は、例えば、公知のポリエチレンテレフタレート、ポリアクリロニトリル、ポリプロピレン等の繊維をフィルム巻き、コーティング、自己溶着、硬化剤固定、繊維絡み合い等の方式でインキ吸蔵体を形成して、後述するインキ貯蔵容器内等に装着し、インキをこれらの吸蔵体に吸蔵させる方式である。
尚、インキ貯蔵容器部は、例えば、特公昭５０−３７５７１号公報に開示されているような公知の方法により作製することができる。
インキ貯蔵部は、その外側円周部を熱可塑性樹脂、例えばポリエチレン、ポリプロピレン等のシート・フィルムで作製したインキ貯蔵容器で覆うことができる。
インキ貯蔵部に貯蔵するインキは、油溶性インキと水溶性インキのいずれも使用が可能である。前記水溶性染料としては、酸性染料、塩基性染料、直接染料等を例示することができる。第１インキ貯蔵部及び第２インキ貯蔵部に貯蔵されているインキとして共に水溶性インキを使用すると油溶性インキの場合と異なり、有機溶剤臭の問題を生じない。また、縁取りの色合等を考慮して、第１インキ貯蔵部と第２インキ貯蔵部に貯蔵されているインキの一方を水溶性インキとし他方を油性インキとすることも可能であり、また双方のインキを油溶性インキとすることも可能である。
第１インキ貯蔵部と第２インキ貯蔵部のそれぞれのインキの貯蔵量は、ペン先先端部の筆記線を描く紙等との内側芯と外側芯の接触面積の割合による消費量等によって適宜決めることができるが、一方のインキを使い切るときにほぼ同時期に他方のインキも使い切るような割合とするのが望ましい。
【００２１】
上記した本発明のマーキングを用いると、１回の線引きにより内側芯で描かれる中央線を外側芯で描かれる色で安定的に縁取りされた帯状の筆記線又は、インキ誘導芯の内側芯による色彩と外側芯による色彩で帯状に２色の筆跡等を連続的に確実に描くことが可能である。
【００２２】
次に本願発明のマーキングペンの具体的な使用例を以下に示す。
尚、本願発明のマーキングペンは、これらの態様に何ら限定されるものではない。
【実施例１】
【００２３】
１．マーキングペンの作製
図１に示す構成のマーキングペンを作製した。各構成部の詳細は下記の通りである。
（１）第１インキ貯蔵部のインキ
青色の油溶性染料（保土ヶ谷化学（株）製、商品名：SPT  Blue  GLSH）0.9０質量％、２−フェノキシエタノール87.1質量％、ベンジルアルコール12.0質量％からなる油溶性インキ液を調製した。
（２）第２インキ貯蔵部のインキ
黄色の水溶性染料（バイエル社製、商品名：pyranin）2質量％、蒸留水87.5質量％、プロピレングリコール10.0質量％、水酸化ナトリウム0.1質量％、ベンゾイソチアゾリン系防腐剤0.4質量％からなる水溶性インキ液を調製した。
（３）インキの貯蔵
インキ吸蔵体は、ポリエチレンテレフタレート繊維より作製されたものである。
第１インキ貯蔵部：油溶性インキ吸蔵体、長さ２０ｍｍ×直径２０ｍｍ、Filtrona  Filter  GmbH製
第２インキ貯蔵部：水溶性インキ吸蔵体、長さ６７ｍｍ×直径２０ｍｍ、Filtrona  Filter  GmbH製
前記油溶性インキ液０．９ｍｌと水溶性インキ液７．５ｍｌをそれぞれ第１インキ貯蔵部と第２インキ貯蔵部の吸蔵体に吸蔵させた。
【００２４】
（４）インキ誘導芯
使用したインキ誘導芯のチゼル型ペン先幅は７ｍｍであり、インキ誘導芯は、ポリエチレンテレフタレート繊維体より作製されたものである（テイボウ販売（株）製）。
内側芯：円柱状、直径３．５ｍｍ、長さ６７ｍｍ
外側芯：厚み１．７５ｍｍ、長さ４４ｍｍ
仕切りのフィルム：ポリアセタール製、厚み０．１ｍｍ、長さ４３ｍｍ
２．筆記線
上記マーキングペンを使用して筆記線を描いた。黄色が帯状に青色ないし緑色で縁取りされた多色の筆記線を連続的に描くことができた。
【実施例２】
【００２５】
１．マーキングペンの作製
図１に示す構成のマーキングペンを作製した。各構成部の詳細は下記の通りである。
（１）第１インキ貯蔵部のインキ
桃色の蛍光分散顔料水溶性インキ（日本蛍光化学（株）製、商品名：ルミコールＮＫＷ３００７）
（２）第２インキ貯蔵部のインキ
黄色の蛍光分散顔料水溶性インキ（日本蛍光化学（株）製、商品名：ルミコールＮＫＷ３００５）
（３）インキの貯蔵
インキ吸蔵体はポリエチレンテレフタレート繊維より作製されたものである。
第１インキ貯蔵部：水溶性桃色インキ吸蔵体、長さ２０ｍｍ×直径２０ｍｍ、Filtrona  Filter  GmbH製
第２インキ貯蔵部：水溶性黄色インキ吸蔵体、長さ６７ｍｍ×直径２０ｍｍ、Filtrona  Filter  GmbH製
前記水溶性桃色インキ液０．９ｍｌと水溶性黄色インキ液７．５ｍｌをそれぞれ第１インキ貯蔵部と第２インキ貯蔵部の吸蔵体に吸蔵させた。
【００２６】
（４）インキ誘導芯
使用したインキ誘導芯のチゼル型ペン先幅は５ｍｍであり、インキ誘導芯は、ポリエチレンテレフタレート繊維体より作製されたものである（テイボウ販売（株）製）。
内側芯：円柱状、直径３．５ｍｍ、長さ６７ｍｍ
外側芯：厚み１．７５ｍｍ（ペン先先端部の厚みが０．７５ｍｍとなるように先端部の両外側を面取りした）、長さ４４ｍｍ
仕切りのフィルム：ポリアセタール製、厚み０．１ｍｍ、長さ４３ｍｍ
２．筆記線
上記マーキングペンを使用して筆記線を描いた。黄色が細い帯状に桃色ないし橙色で縁取りされた多色の筆記線を連続的に描くことができた。
【産業上の利用可能性】
【００２７】
本発明のマーキングペンは広く筆記用具として使用可能である。
【図面の簡単な説明】
【００２８】
【図１】軸筒本体が第１バレルと第２バレルからなるマーキングペンの断面図。
【図２】図１における中間リング断面図
【図３】図１における中間リングの側面図
【図４】軸筒本体が一体型のマーキングペンの断面図
【符号の説明】
【００２９】
１  軸筒
２  インキ誘導芯
３  第１バレル
４  第２バレル
５  中間リング
６  尾栓
７  外側芯
８  内側芯
９  仕切り
１０  第１インキ貯蔵部
１１  第２インキ貯蔵部
１２  インキ誘導芯保持部
１３  突起
１４  キャップ
１５  突起
１６  通気孔
１７  突起
１８  軸筒本体
【図１】
2005297450.tif 000003
【図２】
2005297450.tif 000004
【図３】
2005297450.tif 000005
【図４】
2005297450.tif 000006